(57)【特許請求の範囲】
【請求項１】
キャビネットに前後方向に移動可能に設けられた主引き出しと、前記キャビネットに前後方向に移動可能に設けられ前記主引き出しの内方上部に配置された内引き出しと、前記主引き出しに取付けられ、この主引き出しに対して前記内引き出しを掛止部材で選択的に掛止および離脱可能な掛止装置とを有し、
前記キャビネットには受けレールが取付けられ、前記内引き出しには前記受けレールにスライド自在に係合するスライド部材が取付けられた厨房家具の収納装置であって、
前記キャビネットの側板には、前記受けレールの一方側を着脱可能に保持する複数段のレール保持部を有して前記受けレールの高さ位置を複数段階に変更して前記主引き出しに対する前記内引き出しの高さ位置を変更可能なレール支持部材を取付け、
前記受けレールの前記一方側を前記レール支持部材で保持し、前記受けレールの手前側を着脱可能に前記側板に固定し、
前記掛止装置は、前記主引き出しの前板に取付けられた掛止装置本体部を有するとともに、この掛止装置本体部には掛止装置側高さ位置可変手段が設けられ、
この掛止装置側高さ位置可変手段は、前記掛止部材が取付けられた移動部材を移動可能に保持するケースの高さ位置を前記内引き出しの前記高さ位置に対応させて変更可能に、前記ケースを所定の高さ位置に位置決め保持する機能を有していることを特徴とする厨房家具の収納装置。
【請求項２】
請求項１に記載の厨房家具の収納装置であって、
前記レール支持部材は、前記複数段の前記レール保持部が形成された支持部材本体部と、この支持部材本体部に水平方向に且つ互いに平行に突出形成され、前記受けレールを前記レール保持部に着脱するときにこの受けレールを案内支持可能な複数のレール案内支持部とを有することを特徴とする厨房家具の収納装置。
【請求項３】
請求項１または２に記載の厨房家具の収納装置であって、
前記側板には、前記受けレールを固定する部位の近傍にガイド部材が着脱可能に取付けられ、
前記受けレールを前記レール支持部材に対して着脱するときに、前記ガイド部材で前記受けレールを支持するようにしたことを特徴とする厨房家具の収納装置。
【請求項４】
請求項１，２または３に記載の厨房家具の収納装置であって、
前記掛止装置は、
前記掛止装置本体部と、
押圧操作するための操作部が形成されるとともに移動可能に且つ前記操作部側に付勢された状態で前記掛止装置本体部に取付けられた前記移動部材と、
この移動部材の前記操作部を付勢力に抗して押圧操作することにより、前記掛止装置本体部の保持部に対して前記移動部材の被保持部の保持と保持解除を選択的に行うことが可能な保持手段と、
前記移動部材に取付けられ、前記被保持部が前記保持部に保持されているときには前記内引き出しから離脱し、前記被保持部が保持解除されて前記移動部材が前記付勢力により前記操作部側に移動したときには前記内引き出しを掛止可能な前記掛止部材とを備え、
前記掛止装置本体部は、前記主引き出しの前記前板の後面に取付けられたベースと、このベースに取付けられ、前記移動部材を移動可能に保持する前記ケースとを有し、
前記保持手段の前記被保持部が前記保持部に保持されているときには、前記掛止部材が前記内引き出しから離脱し、
前記被保持部が保持解除されて前記移動部材が前記付勢力により前記操作部側に移動したときには、前記掛止部材が前記内引き出しを掛止可能であることを特徴とする厨房家具の収納装置。
【請求項５】
請求項４に記載の厨房家具の収納装置であって、
前記掛止装置側高さ位置可変手段は、前記ケースに設けられた複数の係合部と、この係合部が係合離脱可能に係合して前記ケースを所定の高さ位置に位置決め保持するように、前記ベースに複数並んで形成された被係合部とを有していることを特徴とする厨房家具の収納装置。
【請求項６】
請求項５に記載の厨房家具の収納装置であって、
前記ベースの外周縁部の両側には、前記被係合部の位置にそれぞれ対応させて複数の高さ位置決め用ガイド部が、着脱作業の際の目印として形成されていることを特徴とする厨房家具の収納装置。
【発明の詳細な説明】
【０００１】
【発明の属する技術分野】
本発明は、システムキッチンや流し台など厨房家具の収納装置に関する。
【０００２】
【従来の技術】
システムキッチンや流し台など厨房家具に設けられた収納装置について、たとえば、特開２０００−２３６９６４号公報および意匠登録第１０７８１３５号公報に記載されているように、シンク下やコンロ下のキャビネットに引き出しを配置して各種物品を収納する構造が次第に普及している。
引き出しに収納される物品は、一般的にその大きさや形状がまちまちであるので、引き出しの内部スペースを有効に使って物品の収納可能量を増やすのが望ましい。
そのためには、引き出しに収納される物品の使用頻度，大きさ，形状などによって、引き出しの高さ位置を変更できるようにするのが望ましい。引き出しは、厨房家具のキャビネットに取付けられた受けレールなどを有するレール機構により移動可能に支持されている。
【０００３】
【発明が解決しようとする課題】
受けレールは、キャビネットに小ねじなどで締結固定された状態で製造工場から出荷される。製造工場では、受けレールは所定の高さ位置に高精度に位置決め固定されている。
したがって、厨房家具のユーザーが、引き出しに収納される物品の使用頻度，大きさ，形状などによって、引き出しの高さ位置を変更したい場合には、キャビネット内の狭いスペースで受けレールの取外し，取付けの作業を行わなければならない。
このとき、受けレールを精度よく取付けないと引き出しをスムーズに移動させることができなくなってしまうので、引き出しの高さ位置の変更は、厨房家具のユーザーにとって実際上は非常に困難であった。
【０００４】
本発明は、このような課題を解決するためになされたもので、厨房家具のユーザーも、内引き出しの高さ位置を所望の高さ位置に容易に変更して精度よく位置決めすることができる厨房家具の収納装置を提供することを目的とする。
【０００５】
【課題を解決するための手段】
上述の目的を達成するため、本発明にかかる厨房家具の収納装置は、キャビネットに前後方向に移動可能に設けられた主引き出しと、前記キャビネットに前後方向に移動可能に設けられ前記主引き出しの内方上部に配置された内引き出しと、前記主引き出しに取付けられ、この主引き出しに対して前記内引き出しを掛止部材で選択的に掛止および離脱可能な掛止装置とを有し、前記キャビネットには受けレールが取付けられ、前記内引き出しには前記受けレールにスライド自在に係合するスライド部材が取付けられた厨房家具の収納装置であって、前記キャビネットの側板には、前記受けレールの一方側を着脱可能に保持する複数段のレール保持部を有して前記受けレールの高さ位置を複数段階に変更して前記主引き出しに対する前記内引き出しの高さ位置を変更可能なレール支持部材を取付け、前記受けレールの前記一方側を前記レール支持部材で保持し、前記受けレールの手前側を着脱可能に前記側板に固定し、前記掛止装置は、前記主引き出しの前板に取付けられた掛止装置本体部を有するとともに、この掛止装置本体部には掛止装置側高さ位置可変手段が設けられ、この掛止装置側高さ位置可変手段は、前記掛止部材が取付けられた移動部材を移動可能に保持するケースの高さ位置を前記内引き出しの前記高さ位置に対応させて変更可能に、前記ケースを所定の高さ位置に位置決め保持する機能を有している。
前記レール支持部材は、前記複数段の前記レール保持部が形成された支持部材本体部と、この支持部材本体部に水平方向に且つ互いに平行に突出形成され、前記受けレールを前記レール保持部に着脱するときにこの受けレールを案内支持可能な複数のレール案内支持部とを有しているのが好ましい。
また、前記側板には、前記受けレールを固定する部位の近傍にガイド部材が着脱可能に取付けられ、前記受けレールを前記レール支持部材に対して着脱するときに、前記ガイド部材で前記受けレールを支持するように構成するのが好ましい。
前記掛止装置は、前記掛止装置本体部と、押圧操作するための操作部が形成されるとともに移動可能に且つ前記操作部側に付勢された状態で前記掛止装置本体部に取付けられた前記移動部材と、この移動部材の前記操作部を付勢力に抗して押圧操作することにより、前記掛止装置本体部の保持部に対して前記移動部材の被保持部の保持と保持解除を選択的に行うことが可能な保持手段と、前記移動部材に取付けられ、前記被保持部が前記保持部に保持されているときには前記内引き出しから離脱し、前記被保持部が保持解除されて前記移動部材が前記付勢力により前記操作部側に移動したときには前記内引き出しを掛止可能な前記掛止部材とを備え、前記掛止装置本体部は、前記主引き出しの前記前板の後面に取付けられたベースと、このベースに取付けられ、前記移動部材を移動可能に保持する前記ケースとを有し、前記保持手段の前記被保持部が前記保持部に保持されているときには、前記掛止部材が前記内引き出しから離脱し、前記被保持部が保持解除されて前記移動部材が前記付勢力により前記操作部側に移動したときには、前記掛止部材が前記内引き出しを掛止可能であるのが好ましい。
また、前記掛止装置側高さ位置可変手段は、前記ケースに設けられた複数の係合部と、この係合部が係合離脱可能に係合して前記ケースを所定の高さ位置に位置決め保持するように、前記ベースに複数並んで形成された被係合部とを有しているのが好ましい。
さらに、前記ベースの外周縁部の両側には、前記被係合部の位置にそれぞれ対応させて複数の高さ位置決め用ガイド部が、着脱作業の際の目印として形成されているのが好ましい。
【０００６】
【発明の実施の形態】
本実施形態では、厨房家具としてシステムキッチン（複合厨房家具）を例にとって説明するが、本発明は、食器や台所用品などを収納する収納庫，台所の流し台，調理台などの厨房家具にも適用可能である。
本実施形態では、キャビネットに引き出しを配置したシステムキッチンの場合を示している。しかも、このシステムキッチンは、キャビネットに設けられた主引き出しと、キャビネットに設けられ、主引き出しの内方上部に配置された内引き出しとを有している。この内引き出しが本発明における引き出しに相当しているが、内引き出しのない通常の引き出しを有するシステムキッチンであってもよい。
なお、本発明は、厨房家具のキャビネットに引き出しが移動可能に設けられていればよいので、引き出しの外方に両開き扉や片開き扉をさらに設けた場合であってもよい。
【０００７】
以下、本発明にかかる実施の形態の一例を、図１ないし図８を参照して説明する。
図１は、本実施形態にかかるシステムキッチンの正面図、図２は図１のII−II線側面断面図、図３は、前記システムキッチンにおける主引き出しと内引き出しの動作を示す側面断面図である。
なお、説明の便宜上、図１の左方，右方，図２の左方，右方を、それぞれシステムキッチンおよび収納装置の左方，右方，前方，後方として説明する。
【０００８】
図１ないし図３に示すように、厨房家具としてのシステムキッチン１は、床面上に設置されたキャビネット２を有している。キャビネット２は、左方から右方に順次並設された、コンロキャビネット６，一方の調理台キャビネット７，シンクキャビネット８および他方の調理台キャビネット９と、キャビネット６〜９の上部を覆って取付けられたテーブルトップ１０とにより構成されている。
コンロキャビネット６とその上部のテーブルトップ１０には、コンロ１１が組み込まれている。一方の調理台キャビネット７の上部のテーブルトップ１０は調理台１４になっている。
シンクキャビネット８の上部のテーブルトップ１０には、シンク１２が形成されている。他方の調理台キャビネット９には食器洗い乾燥機１３が組み込まれ、上部のテーブルトップ１０は調理台１４になっている。
【０００９】
コンロキャビネット６には二段の引き出しが設けられ、一方の調理台キャビネット７には三段の引き出しが設けられている。シンクキャビネット８には、シンク１２の手前に前幕板１５が設けられているので、前幕板１５の下部に二段の引き出しが設けられている。他方の調理台キャビネット９には、食器洗い乾燥機１３の下部に一段の引き出しが設けられている。各引き出しは前後方向に移動可能である。
各キャビネット６〜９の内方には、左右に側板１７が縦方向（床面と垂直方向）に設けられ、側板１７もキャビネット２の一部を構成している。隣合うキャビネット６〜９どうしの間の側板１７は仕切り壁の機能を有しており、コンロキャビネット６の左側の側板１７と、他方の調理台キャビネット９の右側の側板１７は、外壁板としての機能を有している。
【００１０】
このように、コンロキャビネット６に、コンロ１１，二段の引き出し，対応するテーブルトップ１０などが設けられて、単体としての厨房家具が構成されている。これと同様に、他のキャビネット７，８，９も、それぞれ単体としての厨房家具を構成している。すなわち、システムキッチン１は、単体としての厨房家具が複合した複合厨房家具を構成していることになる。
各キャビネット６〜９にそれぞれ設けられた引き出しのうち、最下段の引き出しは、前方から見て上段の引き出しより比較的縦長の形状を有している。これら最下段の引き出しは、内部の収納スペースを広くするように、蹴込み１６の奥も含んだ構成を有している。
【００１１】
システムキッチン１には収納装置３０が設けられており、収納装置３０は、各キャビネット６〜９の最下段の引き出しとしてそれぞれ採用されている。
収納装置３０は、キャビネット２に設けられ前後方向に移動可能な主引き出し３と、キャビネット２に設けられ、主引き出し３の内方上部に配置され前後方向に移動可能な引き出しとしての内引き出し４と、主引き出し３および内引き出し４のいずれか一方に取付けられ、主引き出し３に対して内引き出し４を掛止部材３４で選択的に掛止および離脱可能な掛止装置５とを有している。主引き出し３と内引き出し４には、各種物品がその使用頻度，大きさ，形状などに応じてそれぞれ収納可能になっている。
本実施形態では、掛止装置５は主引き出し３に取付けられているが、掛止装置５を内引き出し４に取付けた場合であってもよい。
【００１２】
主引き出し３の左右に配置されている側板１７には、左右一対の主引き出し用受けレール１８が取付けられている。一対の主引き出し用受けレール１８は、前後方向を向いて、ほぼ水平に且つ平行に配置されている。
主引き出し用受けレール１８には、主引き出し用スライド部材１９が前後方向にスライド自在に係合している。一対の主引き出し用スライド部材１９は、主引き出し３の左右両側に取付けられている。
主引き出し用受けレール１８と主引き出し用スライド部材１９により、主引き出し３をスライド可能に支持するレール機構が構成されている。主引き出し３は、主引き出し用受けレール１８と主引き出し用スライド部材１９を介して、キャビネット２に対して前後方向に自在に移動することができる。
【００１３】
内引き出し４の左右に配置されている側板１７には、左右一対のレール支持部材２２が取付けられている。左右一対の内引き出し４用の受けレール２０が、レール支持部材２２により側板１７に取付けられている。受けレール２０は、前後方向を向いて、ほぼ水平に且つ平行に配置されている。
受けレール２０には、内引き出し４用のスライド部材２１が前後方向にスライド自在に係合している。一対のスライド部材２１は、内引き出し４の左右両側に取付けられている。
受けレール２０とスライド部材２１により、内引き出し４をスライド可能に支持するレール機構が構成されている。内引き出し４は、受けレール２０とスライド部材２１を介して、キャビネット２に対して前後方向に自在に移動することができる。
【００１４】
図４（Ａ）はレール支持部材２２の正面図（システムキッチン１の側方から見た場合の正面図）、図４（Ｂ）は、図４（Ａ）のＢ−Ｂ線矢視図、図４（Ｃ）は、図４（Ａ）のＣ−Ｃ線断面図である。図５（Ａ), (Ｂ）は、それぞれ受けレール２０を取付ける途中の状態を示す斜視図，概略断面図である。
図６は、受けレール２０を取付けた状態を示す斜視図、図７は、内引き出し４を取付けた状態を示す部分拡大図、図８（Ａ), (Ｂ), (Ｃ）は、それぞれ掛止装置５の正面図（システムキッチン１の後方から見た場合の正面図），側面図，背面図である。
【００１５】
図２，図４ないし図７に示すように、収納装置３０では、主引き出し３に対する内引き出し４の高さ位置を、側板１７に取付けられた一対のレール支持部材２２により変更可能にしている。
レール支持部材２２は、受けレール２０の一方側としての長手方向奥側（収納装置３０の後方側）を着脱可能に保持する複数段（ここでは、三段）のレール保持部２３を有し、受けレール２０の高さ位置を複数段階（ここでは、上段，中段，下段の三段階）に変更可能になっている。
受けレール２０の長手方向奥側はレール支持部材２２で保持され、受けレール２０の手前側（収納装置３０の前方側）は、小ねじ２４など締結部材により側板１７に着脱可能に締結固定されるようになっている。
受けレール２０の長手方向奥側は、小ねじなどを使用しない非固定状態でレール保持部２３に保持されているので、受けレール２０を手前側（前方側）に引っ張れば、受けレール２０はレール保持部２３から容易に離脱するようになっている。
【００１６】
レール支持部材２２は、板材を打ち抜き加工することにより全体が一体的に形成されている。レール支持部材２２は、複数段（三段）のレール保持部２３が形成された支持部材本体部２５と、支持部材本体部２５に水平方向に且つ互いに平行に突出形成された複数（ここでは、四本）のレール案内支持部２６とを有している。
レール案内支持部２６は、受けレール２０をレール保持部２３に着脱するときに受けレール２０を案内支持可能である。レール案内支持部２６は、断面がほぼ矩形で細長い棒状に形成されている。
四本のレール案内支持部２６のうち、下方側の三本のレール案内支持部２６は、受けレール２０を載せた状態で案内支持することができる。したがって、四本のレール案内支持部２６のうち一番上部にあるレール案内支持部２６を省略してもよい。
支持部材本体部２５およびレール案内支持部２６には、レール支持部材２２を側板１７に固定するために、小ねじなど締結部材を取付けるための複数（ここでは、八つ）の貫通孔２７が所定位置に穿設されている。
【００１７】
レール保持部２３は、受けレール２０の一方側端部（すなわち、長手方向奥側の端部）２０ａおよびその近傍を当接させて位置決めするための当接部２８と、支持部材本体部２５に一体的に形成され、一方側端部２０ａを側板１７側に押し付けて保持するように形成された舌状部２９とにより構成されている。
当接部２８は、支持部材本体部２５の前方側端面２５ａと、レール案内支持部２６の上面２６ａとにより構成されている。舌状部２９は、支持部材本体部２５の表面２５ｂより外方（側板１７から離れる方向）に、プレスなどにより折曲形成され、レール案内支持部２６とほぼ平行に（または、若干外方を向いて）突出している。
したがって、受けレール２０の一方側端部２０ａは、支持部材本体部２５の前方側端面２５ａに当接するとともに、舌状部２９により脱落しないように保持される。受けレール２０の下方側端面は、下方側のレール案内支持部２６の上面２６ａに接触または非接触状態となり、受けレール２０の上方側端面は、上側のレール案内支持部２６に接触または非接触状態で案内支持されている。
これにより、受けレール２０の長手方向奥側は、レール保持部２３により着脱可能に保持されることになる。上段，中段，下段のいずれのレール保持部２３においても、受けレール２０は同様に保持される。
【００１８】
側板１７において、受けレール２０を固定する部位８０の近傍にガイド部材８１が着脱可能に取付けられている。ガイド部材８１は、受けレール２０をレール支持部材２２に対して着脱するときに、この受けレール２０を支持するためのものであり、ガイド部材８１の位置を変更できるようになっている。
そのため、側板１７には、上段，中段，下段用のダボ穴８２が上下方向の三個所に形成されており、ダボ穴８２にガイド部材８１を着脱可能に差し込むことができる。
【００１９】
図２，図３および図８に示すように、掛止装置５は、掛止装置本体部３１，移動部材３２，保持手段３３および掛止部材３４を備え、縦方向（上下方向）に配置され、その中心線ＣＬに対して左右対称の構造を有している。
掛止装置本体部３１は、主引き出し３の前板３５に取付けられている。移動部材３２の上端部は、指などで押圧操作するための操作部３７になっている。移動部材３２は、矢印Ｂに示すように、上下方向に移動可能に且つ圧縮ばねなどで操作部３７側に付勢された状態で、掛止装置本体部３１に取付けられている。
保持手段３３は、操作部３７を付勢力（ばね力）に抗して下方に押圧操作することにより、掛止装置本体部３１の保持部３８に対して移動部材３２の被保持部３９の保持と保持解除を選択的に行うことが可能になっている。
【００２０】
掛止部材３４は、移動部材３２に取付けられており、被保持部３９が保持部３８に保持されているときには内引き出し４から離脱する。また、掛止部材３４は、被保持部３９が保持解除されて移動部材３２が付勢力により操作部３７側に移動したときには、内引き出し４を掛止可能になる。
【００２１】
掛止装置本体部３１は、主引き出し３の前板３５の後面４５に取付けられたベース４６と、ベース４６に取付けられたケース４７とを有している。ケース４７は、掛止部材３４が取付けられた移動部材３２を、矢印Ｂに示すように、移動可能に保持している。
掛止装置本体部３１には、掛止装置側高さ位置可変手段５２が設けられている。掛止装置側高さ位置可変手段５２は、内引き出し４の高さ位置に対応させてケース４７の高さ位置を変更可能に、ケース４７を所定の高さ位置に位置決め保持する機能を有している。
【００２２】
掛止装置側高さ位置可変手段５２は、ケース４７に設けられた複数（ここでは、四つ）の係合部５３と、係合部５３が係合離脱可能に係合してケース４７を所定の高さ位置に位置決め保持するように、ベース４６に複数（ここでは、八つ）並んで形成された被係合部５４とを有している。
ケース４７の四つの係合部５３は、上下左右に規則正しく配置され、前方から見てほぼ半円形に形成されている。ベース４６の八つの被係合部５４も、左右に一対ずつ且つ上下に四組並んで規則正しく配置されている。
四つの係合部５３が、八つの被係合部５４のうち所望の四つの被係合部５４にそれぞれ係合可能であるので、ケース４７は、ベース４６に対して四点支持されて、所定の高さ位置に位置決め保持される。しかも、四つの係合部５３に対応する四つの被係合部５４を適宜選択することにより、ベース４６に対してケース４７の高さ位置を三段階（上段，中断，下段）に変更可能である。
なお、図２ないし図７では、主引き出し３に対する内引き出し４の高さ位置を中段の高さ位置に設定した場合を示しているが、図８に示す掛止装置５では、内引き出し４の高さ位置が上段の高さ位置に変更された場合に、この内引き出し４の高さ位置に対応させて、ケース４７の高さ位置を上段の高さ位置に変更した場合を示している。
【００２３】
ベース４６は、左右方向より上下方向の方が長い矩形状をなしている。ベース４６には、孔６０が穿設された複数（ここでは、八つ）の突出部６８が形成されている。孔６０を介して小ねじ（図示せず）を主引き出し３の前板３５にねじ込むことにより、ベース４６は前板３５に締結固定されている。
ベース４６の全周には、前方側に若干突出した外周縁部６１が一体的に形成され、板状部６２には補強用のリブ６７が一体的に形成されている。したがって、ベース４６の板状部６２と、前板３５の後面４５との間には、外周縁部６１，突出部６８，リブ６７などにより、わずかな間隙部６３が確保されている。
ケース４７の係合部５３は間隙部６３に配置されるので、ベース４６を前板３５に取付けた後でも、係合部５３を被係合部５４に対して着脱して、ケース４７の高さ位置を変更することができる。
【００２４】
ベース４６の外周縁部６１の両側には、下方から三列目までの被係合部５４の位置にそれぞれ対応させて、三つの高さ位置決め用ガイド部６６H，６６M，６６Lが、着脱作業の際の目印として突出形成されている。高さ位置決め用ガイド部６６H，６６M，６６Lは、それぞれ上段，中断，下段の各高さ位置を示している。
したがって、ケース４７の下端面を、いずれか一つの高さ位置決め用ガイド部の上端位置に合わせれば、係合部５３が被係合部５４に係合する。そして、ケース４７を下方に落とし込めば、係合部５３が被係合部５４に密着する。
その結果、ケース４７の下端面は、高さ位置決め用ガイド部の下端位置まで移動して、ケース４７はベース４６に強固に固定される。ケース４７をベース４６から取り外す場合には、上記とは逆の手順で行えばよい。
【００２５】
次に、内引き出し４の高さ位置を変更する手順について説明する。
図２，図４ないし図７において、まず初めに、主引き出し３と内引き出し４を前方に引き出してキャビネット２から取り外す。通常は、スライド部材１９，２１は、受けレール１８，２０からそれぞれ分離して取り外しできるようになっている。
なお、分離できない場合には、取付け用のねじを外して主引き出し３をスライド部材１９から取り外し、内引き出し４をスライド部材２１から取り外すことになる。図５および図６では、受けレール２０にスライド部材２１が係合している場合を示している。
【００２６】
次に、受けレール２０の手前側を側板１７に固定しているすべて（ここでは、二本）の小ねじ２４を取り外す。このとき、小ねじ２４を取り外した途端に受けレール２０が落下してしまうのを防止するために、ガイド部材８１が受けレール２０の手前側を支持しているので、取り外し作業の際の安全性が確保される。
受けレール２０の長手方向奥側は、レール支持部材２２に保持されているが固定されていないので、受けレール２０を手前に引き抜けばレール支持部材２２から取り外すことができる。
ガイド部材８１用のダボ穴８２は、上下方向の三個所で側板１７に形成されているので、変更したい所望の高さ位置にある他のダボ穴８２にガイド部材８１を差し替える。
こうして、ガイド部材８１を側板１７に取付ければ、キャビネット２の奥の方を覗き込まなくても、ガイド部材８１を目印にして手前側から各段の高さ位置が容易に分かる。
【００２７】
次いで、図５（Ａ),（Ｂ）に示すように、受けレール２０をガイド部材８１に載せて手前から奥側に水平に差し込む。すると、受けレール２０は、ガイド部材８１とレール支持部材２２のレール案内支持部２６の上面２６ａに載って案内される状態で、スライドしながら奥の方に移動していく。
受けレール２０はかなり重いが、ガイド部材８１とレール案内支持部２６に受けレール２０を載せた状態で安定した状態でスムーズに移動させることができるので、取付け作業が容易であり、また、取付け作業の途中で受けレール２０が落下する恐れがなく安全である。
こうして、受けレール２０を矢印Ｄに示すように水平に奥側に移動させて、受けレール２０の一方側端部２０ａを支持部材本体部２５の前方側端面２５ａに当接させれば、一方側端部２０ａは舌状部２９に係合する。
これにより、受けレール２０の長手方向奥側は、レール保持部２３により位置決め保持される。すなわち、受けレール２０は、レール保持部２３と上下のレール案内支持部２６により水平方向（前後方向と左右方向）および垂直方向（上下方向）に保持された状態で位置決めされる。
【００２８】
そして、図６に示すように、受けレール２０の手前側を二本の小ねじ２４で側板１７にねじ込んで締結固定する。なお、小ねじ２４をねじ込むためのねじ孔は、予め側板１７の三段階の所定位置に形成されている。こうして、受けレール２０は、変更した所望の高さ位置で、レール支持部材２２と小ねじ２４で側板１７に精度よく位置決め固定される。
次いで、主引き出し３をキャビネット２に入れて、スライド部材１９を受けレール１８に係合させる。これと同様に、内引き出し４をキャビネット２に入れて、スライド部材２１を受けレール２０に係合させれば、作業が完了する。
【００２９】
上述のように、受けレール２０の長手方向奥側はレール支持部材２２に固定されていないので、受けレール２０の取付け高さ位置を三段階（上段，中段，下段）に容易に変更することができる。これにより、受けレール２０により支持されている内引き出し４の高さ位置を、三段階（上段，中段，下段）に変更可能である。
したがって、主引き出し３に対する内引き出し４の高さ位置を所望の高さ位置に変更して精度よく位置決めすることができ、この変更作業は容易であるので、システムキッチン１のユーザーも実行が可能である。
【００３０】
こうして、内引き出し４の高さ位置を変更した場合には、図８に示すように、ケース４７をベース４６から取り外す。そして、高さ位置決め用ガイド部６６H，６６M，６６Lを目印にして、ケース４７を所望の高さ位置になるようにベース４６に取付ければよい。
高さ位置決め用ガイド部６６H，６６M，６６Lが目印になるので、ケース４７を所望の高さ位置に容易に変更することができる。このように、簡単な作業でケース４７をベース４６に着脱することができる。その結果、掛止部材３４は、その高さ位置が変更されて内引き出し４を掛止可能になる。
【００３１】
次に、収納装置３０の動作について、図２，図３および図８を参照しながら説明する。
主引き出し３がキャビネット２に収納されている状態で（図２）、内引き出し４が掛止装置５により主引き出し３に掛止されている場合には、主引き出し３の前板３５を前方に引っ張る。
すると、主引き出し３は、主引き出し用受けレール１８と主引き出し用スライド部材１９を介して、矢印Ｆ1に示すように前方に移動して引き出される（図３（Ａ））。
その結果、主引き出し３と一緒に内引き出し４も、内引き出し用受けレール２０と内引き出し用スライド部材２１を介して、矢印Ｆ2に示すように前方に移動して引き出される（図３（Ａ））。これにより、内引き出し４に対して、物品を収納したり取り出したりすることができる。
【００３２】
これに続いて、主引き出し３を使用したい場合には、その上方にある内引き出し４が邪魔になるので、操作部３７を指で下方に押して、掛止部材３４を内引き出し４の前板３６から離脱させる。保持部３８が被保持部３９を一旦保持すれば、操作部３７から指を離しても移動部材３２は下方の位置に位置決めされる。
その結果、内引き出し４は主引き出し３から離脱するので、内引き出し４を後方に押して移動させることができる（図３（Ｂ））。したがって、内引き出し４が邪魔にならないので、主引き出し３に対して物品を収納したり取り出したりすることができる。
【００３３】
その後、主引き出し３を後方に押せば、主引き出し３はキャビネット２に収納される。内引き出し４が収納位置に収納されていない場合には、内引き出し４は主引き出し３側のケース４７に押されて、主引き出し３と一緒にキャビネット２に収納される。
この収納状態では、内引き出し４は主引き出し３に掛止されていない。この状態のままで、主引き出し３を再び前方に引っ張れば、内引き出し４をキャビネット２に残したままで、主引き出し３のみを引き出すことができる。
こうして、主引き出し３を引き出した後、内引き出し４も使用したい場合には、内引き出し４の前板３６などをつかんで前方に引っ張れば、内引き出し４を引き出すことができる。
【００３４】
内引き出し４を主引き出し３に係止した状態で収納しておきたい場合には、主引き出し３のみが引き出された状態、または、主引き出し３と内引き出し４の両方が引き出された状態で、操作部３７を下方に押して、保持部３８により被保持部３９を保持解除する。すると、移動部材３２は上昇端位置に位置決めされる。
この状態で、主引き出し３をキャビネット２に収納すると、この主引き出し３の収納動作に連動して、掛止部材３４が内引き出し４の前板３６を掛止する動作を行う。その結果、主引き出し３が内引き出し４を掛止した状態で、主引き出し３と内引き出し４がキャビネット２に収納される。
【００３５】
上述のように、収納装置３０はレール支持部材２２を有しており、レール支持部材２２の構成も簡素である。そして、内引き出し４の高さ位置を変更する際に、キャビネット２の奥の方の狭いスペースに手を入れて作業を行わなくても、手前の広いスペースで、受けレール２０の取付け高さ位置を簡単に変更することができる。
したがって、システムキッチン１のユーザーも、内引き出し４の高さ位置を所望の高さ位置に容易に変更して精度よく位置決めすることができる。これにより、スライド式の内引き出し４でありながらも、物品をその使用頻度，大きさ，形状などによって主引き出し３と内引き出し４に合理的に且つ使い勝手よく収納することができる。
収納装置３０では、簡素な構成のレール支持部材２２とガイド部材８１を追加部品として側板１７に取付ければよく、内引き出し４自体の設計変更は不要で追加部品点数も少ないので、容易に且つ低コストで内引き出し４の高さ位置の変更ができる。
なお、開き扉式の厨房家具で、キャビネットの内方に引き出しが設けられている場合でも、本発明によれば、棚板の高さ位置を変更するような感覚で、引き出しの高さ位置を複数段階に容易に変更することができる。
【００３６】
収納装置３０では、主引き出し３に加えてその内方上部の内引き出し４にも各種物品を収納できる。これにより、キャビネット２内のスペースを有効に使って、物品の収納可能量を増やすことができる。
主引き出し３に対して内引き出し４を掛止装置５で選択的に掛止および離脱可能にしたので、内引き出し４を主引き出し３と一緒にまたは別個に引き出すことができ、使い勝手がよい。
なお、各図中同一符号は同一または相当部分を示す。
【００３７】
【発明の効果】
本発明は上述のように構成したので、内引き出しの高さ位置を変更する際に、キャビネットの奥の方の狭いスペースに手を入れて作業を行わなくても、手前の広いスペースで、受けレールの取付け高さ位置を簡単に変更することができることになり、厨房家具のユーザーも、主引き出しに対する内引き出しの高さ位置を所望の高さ位置に容易に変更して精度よく位置決めすることができる。
また、掛止装置に掛止装置側高さ位置可変手段を設け、内引き出しの高さ位置に対応させてケースを所望の高さ位置に容易に変更することができるようにしたので、このケースに取付けられた掛止部材は、その高さ位置が変更されて内引き出しを掛止可能になる。
【図面の簡単な説明】
【図１】  図１ないし図８は本発明の実施形態の一例を示す図で、図１はシステムキッチンの正面図である。
【図２】  図１のII−II線側面断面図である。
【図３】  前記システムキッチンにおける主引き出しと内引き出しの動作を示す側面断面図である。
【図４】  図４（Ａ）はレール支持部材の正面図、図４（Ｂ）は、図４（Ａ）のＢ−Ｂ線矢視図、図４（Ｃ）は、図４（Ａ）のＣ−Ｃ線断面図である。
【図５】  図５（Ａ),（Ｂ）は、それぞれ受けレールを取付ける途中の状態を示す斜視図，概略断面図である。
【図６】  受けレールを取付けた状態を示す斜視図である。
【図７】  内引き出しを取付けた状態を示す部分拡大図である。
【図８】  図８（Ａ),（Ｂ),（Ｃ）は、それぞれ掛止装置の正面図，側面図，背面図である。
【符号の説明】
１      システムキッチン（厨房家具）
２      キャビネット
３      主引き出し
４      内引き出し
５      掛止装置
６      コンロキャビネット（キャビネット）
７      一方の調理台キャビネット（キャビネット）
８      シンクキャビネット（キャビネット）
９      他方の調理台キャビネット（キャビネット）
１７    側板
２０    受けレール
２１    スライド部材
２２    レール支持部材
２３    レール保持部
２５    支持部材本体部
２６    レール案内支持部
３０    収納装置
３１    掛止装置本体部
３２    移動部材
３３    保持手段
３４    掛止部材
３６    前板
３７    操作部
３８    掛止装置本体部の保持部
３９    移動部材の被保持部
４６    ベース
４７    ケース
５２    掛止装置側高さ位置可変手段
５３    係合部
５４    被係合部
６１    外周縁部
６６H，６６M，６６L  高さ位置決め用ガイド部
８０    部位
８１    ガイド部材
【図１】
0003917847.tif 000002
【図２】
0003917847.tif 000003
【図３】
0003917847.tif 000004
【図４】
0003917847.tif 000005
【図５】
0003917847.tif 000006
【図６】
0003917847.tif 000007
【図７】
0003917847.tif 000008
【図８】
0003917847.tif 000009